(57)【要約】【課題】省スペースで簡単な構成にてジャム処理操作のしやすい用紙搬送装置及びそれを備えた画像形成装置及び後処理装置を提供する。【解決手段】用紙搬送装置１０１は、用紙Ｐを搬送する第１搬送ローラ１３１ａ、１３１ｂと、第１搬送ローラ１３１ａ、１３１ｂの用紙搬送方向下流側に配され用紙を搬送する第２搬送ローラ１３４ａ、１３４ｂと、第１搬送ローラ１３１ａを回転させる操作ノブ１６０と、この操作部材１６０の回転によって第１搬送ローラ１３１ａと第２搬送ローラ１３４ａとを連動して同方向に回転させる第１、第２及び中間プーリ１４１〜１４４、ベルト１５１、１５２及びアイドルギヤ１５５、１５６（連動部材）とを備える。この連動部材に設けられ、第１搬送ローラ１３１ａと第２搬送ローラ１３４ａとの周速度を異ならせる減速部材としての第１プーリ１４１と第２プーリ１４４とを備える。【選択図】図２
2009263017.tif 000002
【特許請求の範囲】
【請求項１】
用紙を搬送する第１搬送ローラと、前記第１搬送ローラの用紙搬送方向下流側に配され用紙を搬送する第２搬送ローラと、前記第１または第２搬送ローラを回転させる操作部材と、前記操作部材の回転によって前記第１搬送ローラと前記第２搬送ローラとを連動して同方向に回転させる連動部材と、前記連動部材に設けられ、前記第１搬送ローラと前記第２搬送ローラとの周速度を異ならせる減速部材とを備えることを特徴とする用紙搬送装置。
【請求項２】
前記第１搬送ローラが前記第２搬送ローラの周速度より大きいことを特徴とする請求項１に記載の用紙搬送装置。
【請求項３】
前記連動部材は、前記第１搬送ローラに設けられる第１プーリと、前記第２搬送ローラに設けられる第２プーリと、前記第１及び第２プーリに巻回されたベルトとを備えることを特徴とする請求項１または請求項２に記載の用紙搬送装置。
【請求項４】
前記減速部材は、前記第１及び第２プーリの前記ベルトの巻回径を異ならせて構成されることを特徴とする請求項３に記載の用紙搬送装置。
【請求項５】
用紙を搬送する第１搬送ローラと、前記第１搬送ローラの用紙搬送方向下流側に配され用紙を搬送する第２搬送ローラと、前記第１搬送ローラを回転させる操作部材と、前記操作部材の回転によって前記第１搬送ローラに連動して前記第２搬送ローラを同方向に回転させる連動部材と、前記連動部材に設けられ、前記第１搬送ローラが前記第２搬送ローラの周速度より大きくなるように周速度を異ならせる減速部材と、前記第１搬送ローラを回転させる駆動源を有する駆動部材と、前記操作部材を操作すると、前記減速部材を介して前記第２搬送ローラを回転させ、前記駆動部材を駆動させると、前記減速部材を介することなく、前記第１搬送ローラから前記第２搬送ローラを回転させる一方向クラッチとを備えることを特徴とする用紙搬送装置。
【請求項６】
請求項１〜請求項５のいずれかに記載の用紙搬送装置が搭載された画像形成装置。
【請求項７】
請求項１〜請求項５のいずれかに記載の後処理装置が搭載された後処理装置。
【発明の詳細な説明】
【技術分野】
【０００１】
本発明は、電子写真方式を利用した複写機、プリンタ、ファクシミリ、それらの複合機等の画像形成装置に用いる用紙搬送装置及びそれを備えた画像形成装置及び後処理装置に関し、特に、ジャム処理が可能な用紙搬送装置及びそれを備えた画像形成装置及び後処理装置に関するものである。
【背景技術】
【０００２】
従来、複写機等の画像形成装置は、用紙供給ユニットにおいて給紙カセットに積載された用紙を一枚ずつ搬送路に送り出し、その用紙を搬送路に沿って画像形成位置まで搬送し、その画像形成位置で用紙に画像を印刷した後、印刷済みの用紙を排出トレイに排出するようになっている。また、後処理装置は、画像形成装置から排出される用紙を用紙ストック及びステープル部に搬送し、用紙を重ね合わせてステープル処理を行い、ステープル処理が完了すると、用紙束を排出トレイに排出している。画像形成装置や後処理装置等の用紙搬送路において、用紙ジャムが発生することがある。
【０００３】
このジャム処理を行うために、特許文献１では、複数の搬送ローラに対して駆動力を伝達する従動ギヤ群が互いに連結して、この従動ギヤ群の間にはモータに固設された出力ギヤが噛合している。モータの回転駆動によって、出力ギヤと各従動ギヤを介して複数の搬送ローラが回転して用紙が搬送されるが、ジャム処理を行うときには、モータ軸方向へ進退自在に支持されたモータが、出力ギヤと従動ギヤ群との噛合が解除される位置に、解除レバー等を操作して退避させて、ジャム用紙を引き抜き、ジャム用紙を引き抜いた時に、搬送ローラが空回りするようにして、用紙を破くことがなく、また紙片が機器内に残留することがないようにしている。
【０００４】
また、特許文献２では、搬送路上の二つの搬送ローラがベルトにより回転可能に連結され、一方の搬送ローラには、ノブが取り付けられている。搬送路でジャムが発生した場合、ノブをジャム処理方向に回転すると、一方の搬送ローラが回転するとともに、他方の搬送ローラも回転し、ジャム用紙が搬送路上を移動することにより、ジャム用紙を搬送路から取り除きやすくしている。
【０００５】
しかしながら、上述の特許文献１、２では、用紙の搬送間隔が十分に設けられて、搬送路周辺にも十分なスペースが確保されているときに、ジャム用紙を取り除きやすいが、近年、画像形成の高速化への対応により搬送路が短くなり、また装置の小型化への対応により搬送路周辺のスペースの確保が難しくなり、ジャム用紙を取り除くことが困難になっている。さらに、画像形成装置では、用紙の裏面にも印刷するために、定着部から搬送された用紙を反転させる反転搬送路を有し、用紙をこの反転搬送路と排出搬送路とに分岐する分岐爪が設けられている。この分岐爪を有する分岐部では、搬送路が屈曲していて、ジャムが発生した場合、分岐爪がジャム処理の障害になり、用紙を取り除くことが困難になる。この場合、用紙の後端が分離爪から開放されるまで、ノブを回転操作してジャム処理を行うことが可能であるが、ジャム用紙を取り除くのに時間が掛かり、また、ジャム処理の搬送路が長くなり、余分のスペースと、さらに搬送ローラやそれらの搬送ローラを連結するベルトとが必要になる。また、後処理装置においても、用紙のストック及びステープル部に向かう搬送路と用紙を排出する搬送路とを分岐する分岐爪が設けられ、上記の定着部と同様に用紙を取り除くことが困難であるという不都合があった
【特許文献１】特開平６−９０９９号公報（段落［００１１］、［００１２］、図１）
【特許文献２】特開平１０−２３６６８６号公報（段落［００１５］、［００１６］、図３）
【発明の開示】
【発明が解決しようとする課題】
【０００６】
本発明は、上記のような課題を解決するためになされたものであり、省スペースで簡単な構成にてジャム処理操作のしやすい用紙搬送装置及びそれを備えた画像形成装置及び後処理装置を提供することを目的とする。
【課題を解決するための手段】
【０００７】
上記目的を達成するために本発明は、用紙を搬送する第１搬送ローラと、前記第１搬送ローラの用紙搬送方向下流側に配され用紙を搬送する第２搬送ローラと、前記第１または第２搬送ローラを回転させる操作部材と、前記操作部材の回転によって前記第１搬送ローラと前記第２搬送ローラとを連動して同方向に回転させる連動部材と、前記連動部材に設けられ、前記第１搬送ローラと前記第２搬送ローラとの周速度を異ならせる減速部材とを備えることを特徴としている。
【０００８】
この構成によれば、第１搬送ローラと第２搬送ローラとで形成される搬送路で用紙ジャムが発生したとき、操作部材を操作すると、第１または第２搬送ローラの一方の搬送ローラが回転し、連動部材によって他方の搬送ローラが同方向に回転して、ジャム用紙が搬送路を移動するが、第１搬送ローラと第２搬送ローラとの周速度差によって、搬送路内でジャム用紙が湾曲するように搬送され、ジャム用紙のこの湾曲部を用いてジャム処理が可能となる。
【０００９】
また、請求項２に記載の発明では、前記第１搬送ローラが前記第２搬送ローラの周速度より大きいことを特徴としている。この構成によれば、操作部材を操作すると、第１または第２搬送ローラの一方の搬送ローラが回転し、連動部材によって他方の搬送ローラが同方向に回転して、ジャム用紙が搬送路を用紙搬送方向下流側に移動するが、第１搬送ローラの用紙搬送量が大きくなることによって、搬送路内でジャム用紙が湾曲するように搬送され、ジャム用紙のこの湾曲部を用いてジャム処理が可能となる。
【００１０】
また、請求項３に記載の発明では、前記連動部材は、前記第１搬送ローラに設けられる第１プーリと、前記第２搬送ローラに設けられる第２プーリと、前記第１及び第２プーリに巻回されたベルトとを備えることを特徴としている。この構成によれば、操作部材の操作によって、第１または第２搬送ローラの一方の搬送ローラが回転すると、第１及び第２プーリとベルトを介して、他方の搬送ローラが同方向に回転する。
【００１１】
また、請求項４に記載の発明では、前記減速部材は、前記第１及び第２プーリの前記ベルトの巻回径を異ならせて構成されることを特徴としている。この構成によれば、第１搬送ローラと第２搬送ローラとの周速度差が発生する。
【００１２】
また、請求項５に記載の発明では、用紙を搬送する第１搬送ローラと、前記第１搬送ローラの用紙搬送方向下流側に配され用紙を搬送する第２搬送ローラと、前記第１搬送ローラを回転させる操作部材と、前記操作部材の回転によって前記第１搬送ローラに連動して前記第２搬送ローラを同方向に回転させる連動部材と、前記連動部材に設けられ、前記第１搬送ローラが前記第２搬送ローラの周速度より大きくなるように周速度を異ならせる減速部材と、前記第１搬送ローラを回転させる駆動源を有する駆動部材と、前記操作部材を操作すると、前記減速部材を介して前記第２搬送ローラを回転させ、前記駆動部材を駆動させると、前記減速部材を介することなく、前記第１搬送ローラから前記第２搬送ローラを回転させる一方向クラッチとを備えることを特徴としている。この構成によれば、ジャム処理時に操作部材が回転操作され、ジャム処理を行わない通常用紙搬送時に駆動部材が用紙搬送する。
【００１３】
また、請求項６に記載の発明では、上記の構成の用紙搬送装置が搭載された画像形成装置である。
【００１４】
また、請求項７に記載の発明では、上記の構成の用紙搬送装置が搭載された後処理装置である。
【発明の効果】
【００１５】
請求項１に記載の発明によれば、第１搬送ローラと第２搬送ローラとで形成される搬送路で用紙ジャムが発生したとき、操作部材を操作すると、第１または第２搬送ローラの一方の搬送ローラが回転し、連動部材によって他方の搬送ローラが同方向に回転して、ジャム用紙が搬送路を移動するが、第１搬送ローラと第２搬送ローラとの周速度差によって、搬送路内でジャム用紙が湾曲するように搬送され、ジャム用紙のこの湾曲部を用いてジャム処理が可能となるので、ジャム用紙を容易に搬送路から取り除くことができる。
【００１６】
また、請求項２に記載の発明によれば、操作部材を操作すると、第１または第２搬送ローラの一方の搬送ローラが回転し、連動部材によって他方の搬送ローラが同方向に回転して、ジャム用紙が搬送路を用紙搬送方向下流側に移動するが、第１搬送ローラが第２搬送ローラの用紙搬送量より大きくなることによって、搬送路内でジャム用紙が湾曲するように搬送されるので、ジャム用紙を容易に搬送路から取り除くことができる。
【００１７】
また、請求項３に記載の発明によれば、操作部材の操作によって、第１または第２搬送ローラの一方の搬送ローラが回転すると、第１及び第２プーリとベルトを介して、他方の搬送ローラが同方向に回転するので、連動部材が簡単な構成となる。
【００１８】
また、請求項４に記載の発明によれば、第１及び第２プーリのベルトの巻回する外径を異ならせることによって、第１搬送ローラと第２搬送ローラとの周速度差が発生するので、減速部材を簡単に省スペースで構成することになり、装置を小型にすることができる。
【００１９】
また、請求項５に記載の発明によれば、ジャム処理時に操作部材が回転操作され、ジャム処理を行わない通常用紙搬送時に駆動部材が用紙搬送することによって、簡単な構成によりジャム処理と通常用紙搬送を簡単に切り替えることができる。
【００２０】
また、請求項６に記載の発明によれば、省スペースで簡単な構成にてジャム処理操作のしやすい用紙搬送装置を備える画像形成装置にすることができる。
【００２１】
また、請求項７に記載の発明によれば、省スペースで簡単な構成にてジャム処理操作のしやすい用紙搬送装置を備える後処理装置にすることができる。
【発明を実施するための最良の形態】
【００２２】
以下に本発明の実施形態について図面を参照して説明するが、本発明は、この実施形態に限定されない。本発明の実施形態は発明の最も好ましい形態を示すものであり、また発明の用途やここで示す用語等はこれに限定されるものではない。
【００２３】
図１は、画像形成装置１と、この画像形成装置１に連結して配置された用紙搬送装置を備えた後処理装置１００を示す概略図である。図１に示す画像形成装置１は、直方体状の装置ハウジングを具備し、装置ハウジング内の上部には、感光体１１が配設されている。回転自在である感光体１１は、感光層を形成する感光材料としては、アモルファスシリコン感光体や有機感光体（ＯＰＣ感光体）が用いられ、感光体１１の周囲に、現像装置２と、露光ユニット１２と、帯電器１３と、クリーニング装置１４、及び除電器１４ａが配置される。現像装置２は現像ローラとトナーの収容室等を有する。露光ユニット１２は、パーソナルコンピュータ等から画像入力部（図示せず）に入力された原稿画像データに基づいて、感光体１１上にレーザビームを照射する。
【００２４】
転写搬送ベルト１７が転写ローラ２５及び従動ローラ２７に張架されており、転写ローラ２５によって転写搬送ベルト１７が接触するように感光体１１に対向して配設されている。
【００２５】
画像形成開始の操作が行われると、感光体１１は図１中時計回りに回転し、帯電器１３が感光体１１表面を一様に帯電させ、次いで露光ユニット１２が画像データに基づき感光体１１表面に光を照射し、感光体１１表面に静電潜像が形成される。次いで、現像装置２の現像ローラに印加された現像バイアス電圧により、感光体１１表面に形成された静電潜像にトナーが付着し、トナー像が形成される。
【００２６】
感光体１１表面に形成されたトナー像は、転写バイアス電位（トナーの帯電極性と逆極性）を印加された転写ローラ２５により、転写搬送ベルト１７を介して搬送挟持される用紙に転写される。
【００２７】
感光体１１から用紙に転写されずに残ったトナーがクリーニング装置１４によって除去されるとともに、除電器１４ａが感光体１１表面に残った電荷を除電する。
【００２８】
給紙部４６は、給紙カセット４７、４８、大容量デッキ４９、５０、手差しトレイ５１等から構成される。給紙カセット４７、４８が装置ハウジングの底部に上下方向に並べて配設され、用紙Ｐが各給紙カセット４７、４８の各載置板４７ａ、４８上に載置されている。給紙カセット４８の上方には、用紙Ｐを載置する載置板４９ａ、５０ａを有する大容量デッキ４９、５０が左右に並べて設けられる。また、給紙部４６は、載置板４７ａ〜５０ａ上の用紙Ｐを１枚ずつ用紙搬送路に送り出すために、給紙カセット４７、４８、大容量カセット４９、５０の各右上部にピックアップローラ４７ｂ〜５０ｂを有する。更に、装置ハウジングの右側面には、別途給紙できるように手差しトレイ５１が設けられる。そして、手差しトレイ５１にも用紙Ｐを１枚ずつ用紙搬送路に送り出すためのピックアップローラ５１ｂが設けられる。
【００２９】
用紙搬送部４１は、画像形成装置１内で用紙Ｐを搬送するためのものである。用紙搬送部４１は、給紙部４６から転写ローラ２５に至る第１搬送路４３と、転写ローラ２５から定着部１８を経て画像形成済みの用紙Ｐを排出するための排出ローラ８２に至る第２搬送路７１と、定着部１８よりも用紙搬送方向下流側における第２搬送路７１の途中から第１搬送路４３の途中をつなぐように設けられる反転搬送路７６等から構成される。第１搬送路４３には、搬送ローラ４２が複数設けられ、転写ローラ２５の手前には用紙Ｐの搬送タイミングを制御するためのレジストローラ７３が配置される。
【００３０】
転写ローラ２５によりトナー像が転写された用紙Ｐは、定着部１８に搬送され、定着ローラと加圧ローラにより加熱および加圧されてトナー像が用紙Ｐの表面に溶融定着され、定着された用紙Ｐは、排出ローラ８２によって後処理装置１００等の装置ハウジング外に排出される。
【００３１】
後処理装置１００は、装置ハウジングを具備し、装置ハウジングの右側面には、上記画像形成装置１の左側面の一端に配設された排出ローラ８２と対向する位置に用紙搬入口１０７が設けられている。用紙搬入口１０７は、排出ローラ８２側で上下に開いて形成された一対の案内板によって構成され、用紙搬入口１０７の左側に延びる用紙搬送路１０８に用紙Ｐを導入する。
【００３２】
用紙搬送路１０８の用紙搬送方向下流側には待機ドラム１０９ａが配設されて、用紙搬送路１０８の略中央にはパンチユニット１０４が配設されている。パンチユニット１０４は、画像形成装置１から搬送される用紙Ｐに対して、所定位置に孔をあけるパンチ処理を行うためのものである。待機ドラム１０９ａは、ドラムユニット１０９に回転可能に保持され、図１において時計回りに回転し、複数部の用紙束に後述するステープル処理を施す場合に、先の用紙束がステープル処理されている間、次の用紙束の１枚目をドラム表面に巻きつけて待機させ、ステープル処理が行われる間に、画像形成装置１から排出される用紙Ｐを一時停止させないものである。ドラムユニット１０９は、装置ハウジングに取り外し自在に設けられ、用紙ジャムが発生したとき、トラムユニット１０９を装置ハウジングから取り外すことが可能である。
【００３３】
用紙搬送路１０８の下流側では、用紙Ｐの搬送経路は、待機ドラム１０９ａの下方でＶ字形に屈曲して形成され、この屈曲した搬送経路の右斜め下方に配置されるステープル搬送路１１３と、排出トレイ１１２側に至る排出搬送路１１４（図２の矢印で図示）とに分岐している。この分岐部には、分岐爪１１０が電磁ソレノイド（図略）によって二つの位置に回動するように配設されている。一方の位置（図１の時計回りに回動）では、用紙Ｐは排出搬送路１１４に搬送され、他方の位置（図１の反時計回りに回動）では、用紙Ｐはステープル搬送路１１３に搬送されえる。ステープル処理が選択されていないときは、分岐爪１１０が電磁ソレノイドによって図１の時計回りに回動され、一方の位置に位置することになり、用紙Ｐは、排出搬送路１１４に搬送されて、排出トレイ１１２に排出される。ステープル処理が選択されているときは、分岐爪１１０が電磁ソレノイドによって図１の反時計回りに回動され、他方の位置に位置することになり、用紙Ｐは、ステープル搬送路１１３に搬送され、スタック部１１５に送られる。
【００３４】
スタック部１１５は複数枚の用紙Ｐを重ね合わせて用紙束にするものであり、スタック処理された用紙束がステープル部１１７に送られる。ステープル部１１７は、用紙束の先端をステープルで綴じる、または用紙束の長手方向の中央を２箇所ステープルで綴じるなどのステープル処理を行う。ステープル処理が行われた用紙束は、ステープル部１１７の左上方へと搬送され、排出トレイ１１２に排出される。
【００３５】
図２は、用紙搬送装置１０１の要部を示す概略正面図である。用紙搬送装置１０１は、上述の用紙搬送部１０８と、待機ドラム１０９ａと、分岐爪１１０と、ステープル搬送部１１３、及び排出搬送路１１４の他に、第１搬送ローラ１３１ａ、１３１ｂと、第２搬送ローラ１３４ａ、１３４ｂと、中間搬送ローラ１３２ａ、１３２ｂ、１３３ａ、１３３ｂと、第１プーリ１４１と、第２プーリ１４４と、ベルト１５１、１５２及び操作ノブ１６０等を備えて構成される。
【００３６】
用紙搬送路１０８は、第１搬送ローラ１３１ａ、１３１ｂから第２搬送ローラ１３４ａ、１３４ｂまでの、略水平方向に延びて途中からＶ字形に屈曲した搬送経路であり、その搬送経路間には、用紙搬送方向上流側から中間搬送ローラ１３２ａ、１３２ｂと中間搬送ローラ１３３ａ、１３３ｂが配設されている。各搬送ローラ１３１ａ、１３２ａ、１３３ａ、１３４ａはモータ、ギヤ、ベルト等によって回転させられる駆動側ローラであり、各搬送ローラ１３１ｂ、１３２ｂ、１３３ｂ、１３４ｂは各駆動側ローラに追従して回転する従動側ローラであり、各駆動側ローラと従動側ローラが反対方向に回転して、用紙Ｐが搬送される。
【００３７】
この用紙搬送路１０８で用紙Ｐのジャムが発生した場合において、ジャム用紙を用紙搬送路１０８中から取り除く構成について説明する。
【００３８】
第１搬送ローラ１３１ａには第１プーリ１４１が設けられ、中間搬送ローラ１３２ａには中間プーリ１４２が設けられている。第１プーリ１４１及び中間プーリ１４２は、各プーリ外周径が同じ大きさであるタイミングプーリで構成され、第１プーリ１４１と中間プーリ１４２の外周には、合成ゴムで形成されるタイミングベルト等のベルト１５１が巻回されている。また、第１プーリ１４１には、ジャム処理を行うために回転操作が可能である操作ノブ１６０が固設され、操作ノブ１６０が図２の時計回りに回転操作されると、第１搬送ローラ１３１ａが時計回りに回転するとともに、第１プーリ１４１が回転し、ベルト１５１を介して中間プーリ１４２も第１プーリ１４１と同じ方向に回転する。従って、第１搬送ローラ１３１ａ、１３１ｂにより、用紙Ｐは用紙搬送方向の下流側に搬送される。また、中間搬送ローラ１３２ａ、１３２ｂにより、用紙Ｐは用紙搬送方向の下流側に搬送される。
【００３９】
第２搬送ローラ１３４ａには第２プーリ１４４が設けられ、中間搬送ローラ１３３ａには中間プーリ１４３が設けられている。第２プーリ１４４及び中間プーリ１４３は、各プーリ外周径が異なるタイミングプーリで構成され、第２プーリ１４４と中間プーリ１４３の外周には、合成ゴムで形成されるタイミングベルト等のベルト１５２が巻回されている。中間プーリ１４３のプーリ外周径は、第１プーリ１４１及び中間プーリ１４２のプーリ外周径と同じ大きさであり、第２プーリ１４４のプーリ外周径は、中間プーリ１４３のプーリ外周径より大きく構成されている。中間プーリ１４３が図２の時計回りに回転すると、中間搬送ローラ１３３ａが時計回りに回転するとともに、ベルト１５２を介して第２プーリ１４４も中間プーリ１４３と同じ方向に回転する。従って、第２搬送ローラ１３４ａ、１３４ｂにより、用紙Ｐは用紙搬送方向の下流側に搬送される。また、中間搬送ローラ１３３ａ、１３３ｂにより、用紙Ｐは用紙搬送方向の下流側に搬送されるが、中間搬送ローラ１３３ａの外周の速度が第２搬送ローラ１３４ａの外周速度より大きくなるので、中間搬送ローラ１３３ａ、１３３ｂは、第２搬送ローラ１３４ａ、１３４ｂの用紙Ｐの搬送量より大きくなる。
【００４０】
中間プーリ１４２にはアイドルギヤ１５５が固設され、中間プーリ１４３には、アイドルギヤ１５５と同径、同歯数のアイドルギヤ１５６が固設され、アイドルギヤ１５５とアイドルギヤ１５６が噛合している。
【００４１】
従って、操作ノブ１６０が図２の時計回りに回転操作されると、第１搬送ローラ１３１ａが時計回りに回転するとともに、その回転力は、第１プーリ１４１、ベルト１５１を介して中間プーリ１４２に伝達されて、中間搬送ローラ１３２ａが時計回りに回転し、さらに、その回転力は、アイドルギヤ１５５、１５６から中間プーリ１４３、ベルト１５２を介して第２プーリ１４４に伝達されて、中間搬送ローラ１３２ａと第２搬送ローラ１３４ａが時計回りに回転する。用紙Ｐは、第１搬送ローラ１３１ａ、１３１ｂと、中間搬送ローラ１３２ａ、１３２ｂ、中間搬送ローラ１３３ａ、１３３ｂ及び第２搬送ローラ１３４ａ、１３４ｂによって、用紙搬送路１０８の用紙搬送方向の下流側に搬送される。用紙Ｐが搬送されるときに、第１搬送ローラ１３１ａ、１３１ｂは、第２搬送ローラ１３４ａ、１３４ｂの用紙Ｐの搬送量より大きくなる、つまり搬送速度が第２搬送ローラ１３４ａ、１３４ｂより大きくなる。
【００４２】
図３に基づいて、ジャム処理による用紙搬送と通常の用紙搬送との切り替えについて説明する。図３は、ジャム処理により用紙搬送と、用紙ジャムのない通常の用紙搬送との切り替え構成を示す第１搬送ローラの要部を概略的に示す側面図である。
【００４３】
図３に示すように、第１搬送ローラ１３１ａと操作ノブ１６０及び搬送ギヤ１６７は回転軸１６５に固設され、搬送ギヤ１６７は一方向クラッチ１７１を介して回転軸１６５に取り付けられている。一方向クラッチ１７１は、搬送ギヤ１６７の内周に固定され、回転軸１６５の外周に接して設けられ、内部にコロ軸受けを有して、搬送ギヤ１６７の図２における時計回りの回転力を回転軸１６５に伝達し、逆に、回転軸１６５の反時計回りの回転力は回転軸１６５に伝達されない。従って、搬送ギヤ１６７への回転力の伝達が解除される構成になっている。
【００４４】
通常搬送用の駆動源としてのモータ１６９の出力軸に接続された出力ギヤ１６８は搬送ギヤ１６７に噛合している。第２プーリ１４４（図２参照）にも、一方向クラッチ１４６が第２プーリ１４４と回転軸との間に取り付けられ、第２プーリ１４４の回転力が回転軸に伝達されて、第２搬送ローラ１３４ａを回転させ、逆に回転軸の回転力に対しては、第２プーリ１４４への回転力の伝達が解除されるが、第２搬送ローラ１３４ａを回転させる構成になっている。尚、モータ１６９と、出力ギヤ１６８及び搬送ギヤ１６７は駆動部材を構成している。
【００４５】
従って、ジャム処理のために、操作ノブ１６０を回転操作すると、反時計回りに回転軸１６５を介して、第１搬送ローラ１３１ａと、第１プーリ１４１が回転する。第１プーリ１４１の回転がベルト１５１によって、図２に示す中間プーリ１４２に伝達され、さらに中間プーリ１４３が回転して、ベルト１５２によって第２プーリ１４４が図２における時計回りに回転させられるとともに、中間プーリ１４２、１４３を固設した中間搬送ローラ１３２ａ、１３３ａが回転し、また第２プーリ１４４に設けた一方向クラッチ１４６の回転力の伝達により、回転軸の回転を介して、第２搬送ローラ１３４ａが回転する。これによって、第１搬送ローラ１３１ａ、１３１ｂの搬送速度が第２搬送ローラローラ１３４ａ、１３４ｂの搬送速度よりも早い状態で、用紙Ｐが用紙搬送路１０８を搬送される。
【００４６】
通常の用紙搬送のときには、モータ１６９の回転駆動により、出力ギヤ１６８と、出力ギヤ１６８に噛合している搬送ギヤ１６７が回転し、搬送ギヤ１６７に設けた一方向クラッチ１７１によって、回転軸１６５が回転する。回転軸１６５が回転すると、回転軸１６５を介して、第１搬送ローラ１３１ａと、第１プーリ１４１が回転する。第１プーリ１４１の回転がベルト１５１によって、図２に示す中間プーリ１４２に伝達され、アイドルギヤ１５５、１５６を介して中間プーリ１４３が回転するが、第２プーリ１４４には一方向クラッチ１４６があり、また中間プーリ１４３と第２プーリ１４４は減速していることから、一方向クラッチ１４６によって、第２プーリ１４４が第２搬送ローラ１３４ａに対して空転し、用紙Ｐは第２搬送ローラ１３４ａ、１３４ｂを搬送されることになる。このことにより、通常の用紙搬送のときには、第１搬送ローラ１３１ａ、１３１ｂと第２搬送ローラローラ１３４ａ、１３４ｂとの用紙Ｐの搬送速度が異なることがなく、用紙Ｐは搬送路１０８を搬送される。
【００４７】
図４、図５に基づいて、ジャム処理の操作及び各部材の動作を説明する。図４は、用紙Ｐが分岐爪１１０部分で用紙ジャム状態にある用紙搬送装置１０１の要部に示す正面図であり、図５は、ジャム処理の操作状態にある用紙搬送装置１０１の要部に示す正面図である。
【００４８】
図４に示すように、用紙Ｐがステープル搬送路１１３に向けて搬送されるときに、ジャムが発生し、用紙Ｐの先端部分が第２搬送ローラ１３４ａ、１３４ｂに挟持され、その後端部分が第１搬送ローラ１３１ａ、１３１ｂに挟持され、それらの間で、中間搬送ローラ１３２ａ、１３２ｂ及び１３３ａ、１３３ｂに挟持された状態で、用紙Ｐが用紙搬送路１０８で停止している。分岐爪１１０は、図４の一点鎖線の位置にあり、用紙ＰをＶ字形に屈曲させている。
【００４９】
このような用紙ジャム状態において、図５に示すように、ジャム処理操作の最初に、待機ドラム１０９ａを備えたドラムユニット１０９が装置ハウジングから取り外されると、分岐爪１１０と中間搬送ローラ１３３ａの上部に空間が形成される。
【００５０】
次に、操作ノブ１６０が図５の時計回り方向に回転操作される。操作ノブ１６０の回転操作により、図２に示すように、第１搬送ローラ１３１ａが時計回りに回転するとともに、第１プーリ１４１が回転し、ベルト１５１を介して中間プーリ１４２も第１プーリ１４１と同じ方向に回転する。中間プーリ１４２と中間プーリ１４３とに設けられたアイドルギヤ１５５、１５６により、中間プーリ１４３が図２の時計回りに回転し、さらに中間搬送ローラ１３３ａが時計回りに回転する。従って、第１搬送ローラ１３１ａ、１３１ｂと、中間搬送ローラ１３２ａ、１３２ｂ及び中間搬送ローラ１３３ａ、１３３ｂにより、用紙Ｐは用紙搬送方向の下流側に搬送される。また、中間プーリ１４３が図２の時計回りに回転すると、ベルト１５２を介して第２プーリ１４４も図２の時計回りに回転し、第２搬送ローラ１３４ａが時計回りに回転する。従って、第２搬送ローラ１３４ａ、１３４ｂにより、用紙Ｐは用紙搬送方向の下流側に搬送されるが、第１搬送ローラ１３１ａ、１３１ｂは、第２搬送ローラローラ１３４ａ、１３４ｂの用紙Ｐの搬送量より大きくなる、つまり搬送速度が第２搬送ローラローラ１３４ａ、１３４ｂより大きくなるように構成されているので、図５に示すように、用紙Ｐは、分岐爪１１０と中間搬送ローラ１３３ａの上部に形成された空間に突出して撓む湾曲部ＰＷを形成する。
【００５１】
この湾曲部ＰＷが形成されるまで操作ノブ１６０を回転操作し、この湾曲部ＰＷを指で摘み用紙Ｐを引き上げると、用紙Ｐは用紙搬送路１０８から取り除かれる。
【００５２】
上記実施形態において、湾曲部ＰＷを形成することが困難である場合、例えば、ドラムユニット１０９が装置ハウジングに固設され、湾曲部ＰＷを形成する空間を設けられない場合には、ジャム処理のために操作ノブ１６０を回転操作すると、第１搬送ローラ１３１ａ、１３１ｂによって用紙搬送方向下流側に搬送された用紙Ｐは、第２搬送ローラ１３４ａ、１３４ｂの用紙挟持部に当接する。操作ノブ１６０をさらに回転操作すると、分岐爪１１０と屈曲方向に用紙を案内する搬送ガイドとに用紙Ｐが当接しながら搬送されることによって、第２搬送ローラ１３４ａ、１３４ｂの用紙挟持部を用紙搬送方向に押し付ける力が用紙Ｐに作用し、この押し付ける力により、また、一方向クラッチ１４６が第２搬送ローラ１３４ａを第２プーリ１４４に対して、空転可能な状態であるので、用紙Ｐは用紙挟持部から用紙搬送方向に押し出されることになる。このように用紙Ｐをジャム位置から押し出すことで、ジャム処理を行うこともできる。
【００５３】
上記実施形態によれば、用紙搬送装置１０１は、用紙Ｐを搬送する第１搬送ローラ１３１ａ、１３１ｂと、第１搬送ローラ１３１ａ、１３１ｂの用紙搬送方向下流側に配され用紙Ｐを搬送する第２搬送ローラ１３４ａ、１３４ｂと、第１搬送ローラ１３１ａを回転させる操作ノブ１６０と、この操作部材１６０の回転によって第１搬送ローラ１３１ａと第２搬送ローラ１３４ａとを連動して同方向に回転させる第１、第２及び中間プーリ１４１〜１４４、ベルト１５１、１５２及びアイドルギヤ１５５、１５６（連動部材）とを備える。この連動部材に設けられ、第１搬送ローラ１３１ａと第２搬送ローラ１３４ａとの周速度を異ならせる減速部材としての第１プーリ１４１と第２プーリ１４４とを備える。
【００５４】
この構成によると、第１搬送ローラ１３１ａ、１３１ｂと第２搬送ローラ１３４ａ、１３４ｂとで形成される用紙搬送路１０８で用紙ジャムが発生したとき、操作ノブ１６０を操作すると、第１搬送ローラ１３１ａが回転し、連動部材によって第２搬送ローラ１３４ａが同方向に回転して、ジャム用紙が用紙搬送路１０８を移動する。用紙Ｐが用紙搬送路１０８を移動するとき、第１搬送ローラ１３１ａと第２搬送ローラ１３４ａとの周速度差によって、用紙搬送路１０８内で用紙Ｐが湾曲するように搬送され、用紙Ｐのこの湾曲部ＰＷを用いてジャム処理が可能となるので、ジャム用紙を容易に用紙搬送路１０８から取り除くことができる。
【００５５】
また、上記実施形態によると、第１搬送ローラ１３１ａが第２搬送ローラ１３４ａの周速度より大きいことによって、操作ノブ１６０を操作すると、第１搬送ローラ１３１ａが回転し、連動部材によって第２搬送ローラ１３４ａが同方向に回転して、用紙搬送路１０８を用紙搬送方向下流側に移動するが、第１搬送ローラ１３１ａが第２搬送ローラ１３４ａの用紙搬送量より大きくなることによって、用紙搬送路１０８内で用紙Ｐが湾曲するように搬送されるので、ジャム用紙を容易に用紙搬送路１０８から取り除くことができる。
【００５６】
また、上記実施形態によると、減速部材は、第１及び第２プーリ１４１、１４４のベルト１５１、１５２の巻回径を異ならせて構成されることによって、第１搬送ローラ１３１ａと第２搬送ローラ１３４ａとの周速度差が発生するので、減速部材を簡単に省スペースで構成することになり、装置を小型にすることができる。
【００５７】
尚、上記実施形態では、本発明係る用紙搬送装置１０１を後処理装置に適用した例を示したが、本発明はこれに限らず、画像形成装置１の定着部１８の用紙搬送方向下流側における、排出ローラ８２に至る第２搬送路７１と、両面印刷のために用紙Ｐを反転させる反転搬送路７６との分岐部おいて発生するジャム処理に適用してもよい。また、本発明係る用紙搬送装置１０１は、搬送路の分岐部に適用したが、本発明はこれに限らず、水平方向、垂直方向、または屈曲した、分岐していない搬送路に適用してもよい。
【００５８】
また、上記実施形態では、ジャム処理操作を行う操作ノブ１６０が第１搬送ローラ１３１ａに設けられ、操作ノブ１６０を回転操作すると、第１搬送ローラ１３１ａが回転して、その回転によって第２搬送ローラ１３４ａが回転する構成を示したが、本発明はこれに限らず、操作ノブ１６０が第２搬送ローラ１３４ａ、または中間搬送ローラ１３２ａ、１３３ａに設けられ、操作ノブ１６０を回転操作すると、第２搬送ローラ１３４ａ、または中間搬送ローラ１３２ａ、１３３ａから他の搬送ローラに回転力が伝達される構成にしてもよい。この場合も上記同様の効果を奏することができる。
【００５９】
また、上記実施形態では、用紙ジャム処理を行うために、用紙Ｐが用紙搬送路１０８の用紙搬送方向下流側に搬送される構成を示したが、本発明はこれに限らず、用紙Ｐが用紙搬送路１０８の用紙搬送方向上側に搬送されるようにしてもよい。この場合には、第２搬送ローラ１３４ａが第１搬送ローラ１３１ａの周速度より大きくなるように、第１及び第２プーリ１４１、１４４の巻回径を構成して、操作ノブ１６０を反時計回りに回転させるとよい。この場合も上記同様の効果を奏することができる。
【００６０】
また、上記実施形態では、連動部材が第１、第２及び中間プーリ１４１〜１４４、ベルト１５１、１５２及びアイドルギヤ１５５、１５６で構成されていたが、本発明はこれに限らず、第１搬送ローラ１３１ａと第２搬送ローラ１３４ａを一つのベルトにより回転可能に連結して、連動部材が一つのベルトとそのベルトを巻回する一対のローラで構成されるようにしてもよい。また、連動部材がギヤ列で構成され、そのギヤ列を第１搬送ローラ１３１ａと第２搬送ローラ１３４ａに設けた各ギヤに噛合させる構成にしてもよい。また連動部材がギヤ列で構成される場合には、減速部材はギヤ列の各ギヤの歯数を変えて所定の減速比にするとよい。
【産業上の利用可能性】
【００６１】
本発明は、電子写真方式を利用した複写機、プリンタ、ファクシミリ、それらの複合機等の画像形成装置に用いる用紙搬送装置及びそれを備えた画像形成装置及び後処理装置に利用することができ、特に、ジャム処理が可能な用紙搬送装置及びそれを備えた画像形成装置及び後処理装置に利用することができる。
【図面の簡単な説明】
【００６２】
【図１】は、本発明の実施形態に係る用紙搬送装置を備えた後処理装置を装備した画像形成装置を示す平面図である。
【図２】は、本発明の実施形態に係る用紙搬送装置の要部を示す平面図である。
【図３】は、本発明の実施形態に係る用紙搬送装置の要部を概略的に示す側面図である。
【図４】は、本発明の実施形態に係る用紙ジャム状態にある用紙搬送装置の要部に示す平面図である。
【図５】は、本発明の実施形態に係るジャム処理の操作状態にある用紙搬送装置の要部に示す平面図である。
【符号の説明】
【００６３】
１    画像形成装置
１８    定着部
７６    反転搬送路
８２    排出ローラ
１００    後処理装置
１０１    用紙搬送装置
１０４    パンチユニット
１０７    用紙搬入口
１０８    用紙搬送路
１０９    ドラムユニット
１０９ａ    待機ドラム
１１０    分岐爪
１１２    排出トレイ
１１３    ステープル搬送路
１１５    スタック部
１１７    ステープル部
１３１ａ、１３１ｂ    第１搬送ローラ
１３２ａ、１３２ｂ    中間搬送ローラ
１３３ａ、１３３ｂ    中間搬送ローラ
１３４ａ、１３４ｂ    第２搬送ローラ
１４１    第１プーリ（連動部材）
１４２、１４３    中間プーリ（連動部材）
１４４    第２プーリ（連動部材）
１４６、１７１    一方向クラッチ
１５１、１５２    ベルト（連動部材）
１５５、１５６    アイドルギヤ（連動部材）
１６０    操作ノブ（操作部材）
１６５    回転軸
１６７    搬送ギヤ（駆動部材）
１６８    出力ギヤ（駆動部材）
１６９    モータ（駆動部材）
Ｐ    用紙
ＰＷ    湾曲部
【図１】
2009263017.tif 000003
【図２】
2009263017.tif 000004
【図３】
2009263017.tif 000005
【図４】
2009263017.tif 000006
【図５】
2009263017.tif 000007